【手続補正書】
【提出日】平成18年10月23日(2006.10.23)
【手続補正１】
【補正対象書類名】明細書
【補正対象項目名】００１３
【補正方法】変更
【補正の内容】
【００１３】
ＵＰｎＰでは、ネットワーク接続された機器間で、ＸＭＬ（ｅＸｔｅｎｓｉｂｌｅ  Ｍａｒｋｕｐ  Ｌａｎｇｕａｇｅ）形式で記述された定義ファイルを交換して相互認証を行なう。ＵＰｎＰの処理の概要は以下の通りである。
【手続補正２】
【補正対象書類名】明細書
【補正対象項目名】００５４
【補正方法】変更
【補正の内容】
【００５４】
ホームネットワーク３００は、例えばハブ（集結装置）３２２にホームサーバ３１０やクライアント端末３２３〜３２４などのホスト装置のＬＡＮケーブルを接続することにより構成される。
【手続補正３】
【補正対象書類名】明細書
【補正対象項目名】００５５
【補正方法】変更
【補正の内容】
【００５５】
ホームサーバ３１０やクライアント端末３２３〜３２４、ホームルータ３２１などのホームネットワーク３００内のホスト装置、並びに外部ネットワーク上のホスト装置は、機器固有のＭＡＣアドレスを有している。ホスト装置は、受信先ＭＡＣアドレス及び送信元ＭＡＣアドレスを含んだヘッダ情報を持つパケット、例えばイーサネット（登録商標）フレームを、ネットワーク経由で送受信する。
【手続補正４】
【補正対象書類名】明細書
【補正対象項目名】００５６
【補正方法】変更
【補正の内容】
【００５６】
ホームサーバ３１０やクライアント端末３２３〜３２４などのホームネットワーク３００上のホスト装置は、例えばＵＰｎＰ対応機器として構成される。この場合、ネットワークに対する接続機器の追加や削除が容易である。ホームネットワーク３００に新たに接続する機器は、前述した手順、すなわち、（１）アドレッシング処理、（２）ディスカバリ処理、（３）サービス要求処理に従って、コンテンツ利用などホームネットワーク３００上のサービスを享受することができるようになる。
【手続補正５】
【補正対象書類名】明細書
【補正対象項目名】００５７
【補正方法】変更
【補正の内容】
【００５７】
ホームネットワーク３００上では、個人的又は家庭の範囲内での使用であると推定されるローカル環境が形成されている。したがって、ホームサーバ３１０は、ホームルータ３２１経由で外部ネットワーク上のコンテンツ・サーバから正当にコンテンツを取得し、蓄積し、家庭内でコンテンツを配信する。また、各クライアント端末３２３〜３２４は、ホームサーバ３１０に所望のコンテンツを要求し、これを取得して利用することが許容される。
【手続補正６】
【補正対象書類名】明細書
【補正対象項目名】００５８
【補正方法】変更
【補正の内容】
【００５８】
ローカル環境下では、クライアント端末３２３〜３２４は、ホームサーバ３１０からコンテンツを取得し、コピーやストリーミングなどコンテンツを利用し、さらにローカル環境外（リモート環境）にコンテンツを持ち出して利用することができる。
【手続補正７】
【補正対象書類名】明細書
【補正対象項目名】００６４
【補正方法】変更
【補正の内容】
【００６４】
具体的な処理例としては、例えば、クライアント３２３〜３２４は、ホームサーバ３１０にアクセスする際、ホームネットワーク内の共有秘密情報として、まずホームルータ３２１からデフォルトゲートウェイ（ｄｅｆａｕｌｔ  Ｇａｔｅｗａｙ）のＭＡＣアドレスを取得し、取得したＭＡＣアドレスをパケットに格納してサーバにアクセス要求を送信する。サーバは、パケットに含まれる共有秘密情報、すなわち、デフォルトゲートウェイ（ｄｅｆａｕｌｔ  Ｇａｔｅｗａｙ）のＭＡＣアドレスが、自己の保持する秘密情報と一致するか否かを判定する。一致する場合は、同一ホームネットワーク内のクライアントの送信パケットであると判定することができる。
【手続補正８】
【補正対象書類名】明細書
【補正対象項目名】００８６
【補正方法】変更
【補正の内容】
【００８６】
プロキシサーバ（代理サーバ）の利用構成について、図６を参照して説明する。ホームネットワーク４００には、コンテンツ利用管理処理を実行するサーバ４１０と、サーバ４１０の管理の下にコンテンツの利用を行なうクライアントＡ〜Ｄがネットワークで接続されている。サーバ４１０は、クライアントＡ〜Ｄについて、先に図４を参照して説明したメンバークライアントリストを保持し、リストに基づくメンバー管理を行なっている。
【手続補正９】
【補正対象書類名】明細書
【補正対象項目名】０１１７
【補正方法】変更
【補正の内容】
【０１１７】
図９は、左側から、プロキシサーバの［ユーザインタフェース］、［メンバーシップ管理部］、オリジナルのメンバークライアントリストを有するホームサーバの［メンバーシップ管理部］、［メンバークライアントリスト管理部］の処理を示している。
【手続補正１０】
【補正対象書類名】明細書
【補正対象項目名】０１１９
【補正方法】変更
【補正の内容】
【０１１９】
サーバのメンバーシップ管理部は、プロキシサーバからのメンバー登録完了通知を受領すると、ステップＳ３０２において、メンバークライアントリスト管理部に対して、メンバー登録処理要求を出力する。メンバークライアントリスト管理部は、サーバの保有するオリジナルのメンバークライアントリストに、プロキシサーバによって登録された新規クライアントの情報を格納して、メンバー登録処理を実行する。
【手続補正１１】
【補正対象書類名】明細書
【補正対象項目名】０１２５
【補正方法】変更
【補正の内容】
【０１２５】
まず、ステップＳ４０１において、プロキシサーバのユーザインタフェースを介して、ユーザがライセンス委託リクエストを入力すると、プロキシサーバのライセンス管理部は、ステップＳ４０２において、サーバに対してライセンス委託リクエストを出力する。プロキシサーバからサーバに対するライセンス委託リクエストには、プロキシサーバのクライアント識別子（ＩＤ）が含まれる。クライアント識別子（ＩＤ）は、メンバークライアントリストに設定された識別子であり、例えばＭＡＣアドレスが利用可能である。
【手続補正１２】
【補正対象書類名】明細書
【補正対象項目名】０１２６
【補正方法】変更
【補正の内容】
【０１２６】
次にステップＳ４０３において、サーバのライセンス管理部は、プロキシサーバが正規なメンバーであるか否かを判定させるために、メンバークライアントリスト管理部に対してメンバーシップ確認要求を出力する。
【手続補正１３】
【補正対象書類名】明細書
【補正対象項目名】０１２７
【補正方法】変更
【補正の内容】
【０１２７】
サーバのメンバークライアントリスト管理部は、ステップＳ４０４において、先に図４を参照して説明したメンバークライアントリストを参照し、プロキシサーバからの要求パケットからクライアント識別子、例えばＭＡＣアドレスを取得して、取得した識別子が、メンバークライアントリストに登録されているか否かを判定する。登録されていれば、ステップＳ４０５において、プロキシサーバのメンバーシップが確認されたことをライセンス管理部に通知する。登録されていなければ、ステップＳ４０５において、プロキシサーバのメンバーシップが確認されなかったことをライセンス管理部に通知する。この場合には、以後の処理は中止され、ライセンス委託は実行されない。なお、この場合、ライセンス管理部はプロキシサーバに対してライセンス委託不可を示すメッセージを送信してもよい。
【手続補正１４】
【補正対象書類名】明細書
【補正対象項目名】０１３１
【補正方法】変更
【補正の内容】
【０１３１】
ローカリティ検証処理において、プロキシサーバがホームサーバと同じホームネットワークすなわちローカル環境に置かれていると判定された場合は、ステップＳ４０９において、サーバのライセンス管理部は、プロキシサーバのライセンス管理部に対して、ライセンス委託承認応答を出力する。なお、この際、サーバは、プロキシサーバに対して、メンバークライアントリストのコピーを出力する。プロキシサーバは、メンバークライアントリストのコピーに基づいて外部クライアントのメンバー確認およびライセンス提供処理を実行する。